(57)【要約】【課題】携帯電話の画面はサイズが小さく、また解像度も低いので、大きなサイズの画像を閲覧することに適していない。【解決手段】  本発明の表示装置は、携帯端末を取り外し可能に装着する装着手段と、上記装着手段に装着された携帯端末に記憶された情報を表示する携帯端末モードと、機器本体の状態や機器本体への命令の入力が可能な画面を表示する通常モードで表示パネルを作動させる表示パネル制御手段と、携帯端末が上記装着手段に装着されたことを検知する装着検知手段と、携帯端末の装着が検知されると、上記表示パネル制御手段が作動させる表示モードを上記携帯端末モードに切り替えるモード切替手段を備える。【選択図】  図１
2006072514.tif 000002
【特許請求の範囲】
【請求項１】
携帯端末を取り外し可能に装着する装着手段と、
上記装着手段に装着された携帯端末に記憶された情報を表示する携帯端末モードと、機器本体の状態や機器本体への命令の入力が可能な画面を表示する通常モードで表示パネルを作動させる表示パネル制御手段と、
携帯端末が上記装着手段に装着されたことを検知する装着検知手段と、
携帯端末の装着が検知されると、上記表示パネル制御手段が作動させる表示モードを上記携帯端末モードに切り替えるモード切替手段を備えたことを特徴とする表示装置。
【請求項２】
命令を入力するための操作キーについての操作を検知するキー操作検知手段と、
携帯端末の装着が検知されると、検知された操作の内容を上記装着手段に装着された携帯端末が理解できる形式に翻訳する翻訳手段と、
翻訳された操作の内容を上記装着手段に装着された携帯端末に送信する携帯端末通信手段を備える請求項１に記載の表示装置。
【発明の詳細な説明】
【技術分野】
【０００１】
本発明は、ダウンロード等によって携帯端末に記憶された情報を携帯端末の画面より情報の閲覧に便利な表示パネルで表示する表示装置に関する。
【背景技術】
【０００２】
近年、インターネット接続機能が搭載された携帯電話やＰＤＡ(Personal Digital Assistance)等の携帯端末が普及している。この携帯端末に設けられたテンキーやカーソルキー等を操作することで、ユーザは、様々なＷＥＢサイトにアクセスしたり、画像などをダウンロードしたりして、ＷＥＢサイトやダウンロードした画像の閲覧を携帯電話の画面で行うことができる。
【特許文献１】特開２００１−３５６８８７
【発明の開示】
【発明が解決しようとする課題】
【０００３】
近年、ネットワーク環境が整ったことなどによりインターネットを通じて提供される画像のサイズ（ドット数）が大きくなる傾向がある。しかし、携帯電話の画面はサイズが小さく、また解像度も低いので、大きなサイズの画像を閲覧することに適していない。
【０００４】
そこで、本発明は、ユーザが手間を掛けなくても、携帯端末で受信した画像などの情報を携帯端末より大きな画面に表示する表示装置を提供することを目的とする。
【課題を解決するための手段】
【０００５】
本発明の表示装置は、携帯端末を取り外し可能に装着することができ、携帯端末が装着されると、表示パネルの表示モードを携帯端末に記憶された情報を表示する携帯端末モードに切り替える。携帯端末に記憶された画像などの情報を閲覧し易いように、上記表示パネルは、携帯端末の画面よりサイズ又は解像度が高い複写機、複合機等の画像処理装置等の表示パネルを用いることが望ましい。
【０００６】
また、携帯端末に設けられたテンキー等の操作キーは画面と同様に小さいために、画像を閲覧しながら、表示を次の画像に切り替える命令や、他のＷＥＢサイトにアクセスする命令を入力する操作に適していない。
【０００７】
入力操作をし易くするために、本発明の表示装置は、携帯端末より操作性の高い画像処理装置の操作キーで入力された命令を携帯端末に送信するようにしても良い。この場合、画像処理装置の操作キーが用いられるので、操作された内容を携帯端末が理解できる形式に翻訳する翻訳手段を表示装置に備えさせる。
【発明の効果】
【０００８】
以上のように、本発明の表示装置は、携帯電話やPDA等の携帯端末が装着されると、携帯端末の画面よりサイズの大きい表示パネル又は解像度の高い表示パネルの表示モードを携帯端末に記憶された情報を表示する表示モードに切り替えるので、ユーザは、携帯端末を本発明の表示装置に装着するだけで、携帯端末で受信した画像などの情報を携帯端末の画面よりサイズの大きな表示パネル又は解像度の高い表示パネルで閲覧することができる。
【発明を実施するための最良の形態】
【０００９】
図１に示すように、本実施の形態の表示装置１００が備える表示パネル１１０は、携帯電話１９０を備える画面より、サイズが大きく且つ解像度が高い。本実施の形態では、表示装置１００は、スキャナ機能や印刷機能を備えた画像処理装置に実装されており、表示パネル１１０は、図２に示すように、通常はスキャナや印刷が行われているか否か、スキャン命令や印刷命令を入力する画面を表示する通常モードで作動している。
【００１０】
表示装置１００へのスキャン命令や印刷命令の入力等は、図２に示す表示パネル１１０に表示されたソフトキーボード４０２や図示しないハードキーを用いて行う。
【００１１】
例えば、ユーザが印刷命令の入力のためにソフトキーボード４０２を操作すると、この操作結果は、図１に示すキー操作検知手段１０４に検知される。検知された操作結果は、翻訳手段１０５に入力される。
【００１２】
翻訳手段１０５は、通常モードで表示パネル１１０が作動しているときは、検知された操作結果を翻訳せずに画像処理手段１０６に入力する。画像処理手段１０６は入力された操作結果を解釈して、印刷命令を実行する。画像処理手段１０６は印刷命令を完了すると、完了した旨を表示パネル制御手段１０７に入力する。印刷命令が完了した旨が入力されると、表示パネル制御手段１０７は、表示パネル１１０に印刷命令が完了した旨を表示する。
【００１３】
次に、ユーザが、WEBブラウザ等が搭載された携帯電話１９０でWEBサイトにアクセスしてWEBサイトの閲覧を表示装置１００で行う場合について説明する。
【００１４】
図１に示すように、ユーザは電源がＯＮした携帯電話１９０を、本発明の表示装置１００の装着手段１０１に装着する。表示装置１００は、装着手段１０１に携帯電話等の携帯端末が装着されたことを検知する装着検知手段１０２を備える。携帯電話１９０が装着されたことで、装着検知手段１０２が携帯端末の装着を検知すると、装着検知手段１０２は、携帯端末が装着されたことを表示パネル制御手段１０３に通知する。
【００１５】
携帯端末が装着されたことが通知されると、モード切替手段１０３は、装着手段１０１に装着された携帯端末の機器ＩＤと、携帯端末の画面に表示されている画像を取得する指示を携帯端末通信手段１０８に送信し、表示パネル制御手段１０７と翻訳手段１０５に携帯端末が装着されたことを通知する。機器ＩＤは、携帯端末の機種固有のＩＤや携帯端末固有のＩＤである。
【００１６】
モード切替手段１０３から指示が送られると、携帯端末通信手段１０８は、機器ＩＤと画面に表示されている画像についての初期要求を装着手段１０１を介して携帯電話１９０に対して送信する。
【００１７】
初期要求が送信されると、携帯電話１９０の通信制御手段１９１は、記憶手段１９２に記憶された自機の機器ＩＤと、現在自機の画面に表示されている画像を携帯端末通信手段１０８に送信する。
【００１８】
通信制御手段１９１から機器ＩＤと画像が送信されると、携帯端末通信手段１０８は、機器ＩＤを翻訳手段１０５に、画像を表示パネル制御手段１０７に入力する。
【００１９】
モード切替手段１０３から携帯端末が装着されたことが通知され、携帯端末通信手段１０８から画像が入力されると、表示パネル制御手段１０７は、表示パネル１１０の表示モードを通常モードから携帯端末モードに切り替えて、図４に示すように、表示パネル１１０に入力された画像４０１とソフトキーボード４０２を表示パネル１１０に表示する。よって、表示パネル１１０には、携帯電話１９０の画面と同じ画像が表示される。携帯端末モードでは、通常モードで表示パネルに表示されていたスキャナや印刷が行われているか否か等の表示を表示パネルに表示してもよいが、これらの表示が画像の表示を妨げないように表示パネル１１０の端などに小さく表示するのが望ましい。また、画像を見やすくするために、表示パネル制御手段１０７は、例えば表示パネル１１０に入力された画像全体を表示できる大きさを限度に、入力された画像を拡大して表示してもよい。
【００２０】
図４に示すように、携帯電話１９０の画面と同じ画像が表示パネル１１０に表示されると、ユーザは、ソフトキーボード４０２や図示しないハードキーを用いて、ユーザの希望するＷＥＢサイトへのアクセスの命令を入力する。この場合、ユーザは、ソフトキーボード４０２や図示しないハードキーを用いて、まず、図４に示す「１・インターネットに接続」を選択し、その後希望するＷＥＢサイトのＵＲＬを入力する。
【００２１】
ソフトキーボード４０２やハードキーの操作はキー操作検知手段１０４に検知される。キー操作検知手段１０４に検知されたキー操作は、翻訳手段１０５に入力される。
【００２２】
モード切替手段１０３から携帯端末が装着されたことが通知されている場合、翻訳手段１０５は、キー操作検知手段１０４に検知されたキー操作の内容を装着手段１０１に装着された携帯端末が理解できる形式に翻訳する。
【００２３】
本実施の形態では、翻訳手段１０５には、上記したように携帯端末通信手段１０８から携帯電話１９０の機器ＩＤが入力されており、翻訳手段１０５は、入力された機器ＩＤに基いて携帯電話１９０が理解できる形式を判断する。携帯電話１９０が理解できる形式を判断すると、翻訳手段１０５は、携帯電話１９０が理解できる形式に操作の内容を翻訳する。
【００２４】
翻訳は、記憶手段１０９に記憶された翻訳ファイルを用いて行う。翻訳ファイルは、ソフトキーボード４０２やハードキーを用いて入力される全ての命令が、表示装置１００が理解できる形式と、各機器ＩＤの携帯端末が理解できる形式で記述されている。
【００２５】
操作の内容を翻訳すると、翻訳手段１０５は、携帯端末通信手段１０８、装着手段１０１を介して、携帯電話１９０の通信制御手段１９１に翻訳した操作の内容を送信する。
【００２６】
翻訳された操作の内容が送信されると、通信制御手段１９１は、WEBブラウザを用いて送信された操作の内容に従ってユーザが希望するＷＥＢサイトにアクセスして、ＷＥＢサイトのコンテンツを取得し、一時的に記憶手段１９２に記憶させる。通信制御手段１９１は、記憶させたコンテンツを携帯端末通信手段１０８に送信する。
【００２７】
コンテンツが通信制御手段１９１から送信されると、携帯端末通信手段１０８は、送信されたコンテンツを表示パネル制御手段１０７に入力する。
【００２８】
表示パネル制御手段１０７は、入力されたコンテンツを表示パネル１１０に表示する。コンテンツが表示された後に、別のサイトのコンテンツを表示パネル１１０に表示させる場合やコンテンツの中に記載された選択項目の選択等をする場合、ユーザは、上記と同様にソフトキーボード４０２やハードキーを操作して自分の希望するサイトのURLや選択項目の選択を行う。ソフトキーボード４０２やハードキーの操作は、上記と同様にキー操作検知手段１０４に検知され、翻訳手段１０５に携帯電話１９０が理解できる操作に内容に変換された携帯電話１９０に送信される。携帯電話１９０は、送信された操作の内容に従って、別のサイトにアクセスしたり、選択された項目をインターネットに送信したりする。
【００２９】
以上のように、携帯端末（携帯電話１９０）を装着手段１０１に装着すると、表示パネル１１０が携帯端末モードで作動して、携帯電話１９０に記憶された画像等の情報が携帯端末の画面よりサイズが大きく且つ高解像度の表示パネル１１０に表示されるので、ユーザは、携帯端末を装着手段１９１に装着するだけで、携帯端末で受信した画像などの情報を表示パネル１１０で閲覧することができる。
【００３０】
また、携帯端末（携帯電話１９０）を装着手段１０１に装着すると、ソフトキーボード４０２やハードキーの操作の内容が、携帯端末が理解できる内容に翻訳された携帯電話に送信されるので、ユーザは、画像処理装置のソフトキーボードやハードキーを用いて、WEBサイトへのアクセス等の命令の入力をすることができる。
【００３１】
携帯電話１９０をユーザが装着手段１０１から取り外して、装着手段１０１から携帯電話１９０が取り外されたことが装着検知手段１０２にて検知されると、モード切替手段１０３は、表示パネル制御手段１０７と翻訳手段１０５に携帯端末が取り外されたことを通知する。
【００３２】
携帯端末が取り外されたことが通知されると、表示パネル制御手段１０７は、表示パネルの作動を携帯端末モードから通常モードに切り替える。一方、翻訳手段１０５は、携帯端末が取り外されたことが通知されると、当該通知後にキー操作検知手段１０４に検知された操作を翻訳せずに画像処理手段１０６に入力する。
【００３３】
よって、携帯電話１９０が装着手段１０１から取り外されると、表示パネル制御手段１０７が表示パネル１１０を作動させるモードが通常モードに戻り、翻訳手段１０５は、通常モード時の処理を行うようになる。
【図面の簡単な説明】
【００３４】
【図１】本発明の表示装置の機能ブロック図。
【図２】通常モードで作動しているときの操作パネルの概念図。
【図３】携帯端末モードで作動しているときの操作パネルの模式図。
【符号の説明】
【００３５】
１００  表示装置
１０１  装着手段
１０２  装着検知手段
１０３  モード切替手段
１０４  キー操作検知手段
１０５  翻訳手段
１０６  画像処理変更手段
１０７  表示パネル制御手段
１９０  携帯電話
【図１】
2006072514.tif 000003
【図２】
2006072514.tif 000004
【図３】
2006072514.tif 000005